【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  外面が繊維フリースを搬送することができ且つ繊維フリースに係合して該繊維フリースを強化するように作用する部材を有する２個のローラ等から構成される少なくとも１つの無端回転搬送装置を備えた搬送可能な繊維フリースを強化する装置であって、少なくともローラ（２１、２２）は、その表面に輪郭要素（２１ａ、２２ａ；２４ａ、２５ａ）を持ち、そしてローラ（２１、２２）の間を移動する繊維フリースが、一緒に回転する該ローラ（２１、２２）と該輪郭要素（２１ａ、２２ａ；２４ａ、２５ａ）の圧力により強化されることを特徴とする装置。
【請求項２】  該輪郭要素（２１ａ、２２ａ；２４ａ、２５ａ）の圧力が、対向ローラ（２１乃至２２）に対して作用することを特徴とする請求項１に記載の装置。
【請求項３】  該輪郭要素（２１ａ、２２ａ；２４ａ、２５ａ）の圧力が、対向ローラ（２１乃至２２）の該輪郭要素（２１ａ、２２ａ；２４ａ、２５ａ）に対して作用することを特徴とする請求項１又は２に記載の装置。
【請求項４】  該輪郭要素（２１ａ、２２ａ；２４ａ、２５ａ）は局部的に該繊維フリースに圧力を作用させることを特徴とする請求項１乃至３のいずれかに記載の装置。
【請求項５】  該ローラ（２１、２２）、詳しくは該輪郭要素（２１ａ、２２ａ；２４ａ、２５ａ）の外周円の間にそれぞれ間隙（ａ）が存在することを特徴とする請求項１乃至４のいずれかに記載の装置。
【請求項６】  該ローラ（２１、２２）は、互いに反対方向の回転方向（２１ｃ、２２ｃ）を持っていることを特徴とする請求項１乃至５のいずれかに記載の装置。
【請求項７】  少なくとも一つのローラ（２２）が、例えばばね（２０）によって荷重偏倚支持されていることを特徴とする請求項１乃至６のいずれかに記載の装置。
【請求項８】  外套が付けられたローラ（２２）と平滑ローラ（１２）とが備えられていることを特徴とする請求項１乃至７のいずれかに記載の装置。
【請求項９】  該ローラ（２１、２２）の幅（ｈ）が該繊維フリースの幅より大きいことを特徴とする請求項１乃至８のいずれかに記載の装置。
【請求項１０】  該輪郭要素（２５ａ）が丸い横断面を持つことを特徴とする請求項１乃至９のいずれかに記載の装置。
【請求項１１】  該輪郭要素（２４ａ）が角張った横断面を持つことを特徴とする請求項１乃至９のいずれかに記載の装置。
【請求項１２】  該輪郭要素（２４ａ）がその自由端の方向に円錐形に延びていることを特徴とする請求項１乃至１１のいずれかに記載の装置。
【請求項１３】  該輪郭要素（２５ａ）がその自由端で終端していることを特徴とする請求項１乃至１２のいずれかに記載の装置。
【請求項１４】  少なくとも一つのローラ（２１、２２）が、ガーネット（２１ａ、２２ａ）を持つことを特徴とする請求項１乃至１３のいずれかに記載の装置。
【請求項１５】  該ガーネット（２１ａ、２２ａ）が無端ガーネットであることを特徴とする請求項１４に記載の装置。
【請求項１６】  輪郭ディスク（２４、２５）、例えば歯ディスク等、が間隙ディスク（２６）を備えていることを特徴とする請求項１乃至１５のいずれかに記載の装置。
【請求項１７】  輪郭ディスク（２４、２５）は、その外周に輪郭（２４ａ、２５ａ）が形成されていることを特徴とする請求項１乃至１６のいずれかに記載の装置。
【請求項１８】  輪郭ディスク（２４、２５）は、金属板等から構成されていることを特徴とする請求項１乃至１７のいずれかに記載の装置。
【請求項１９】  輪郭（２４ａ、２５ａ）は、縁部領域での金属板の加工により生成されていることを特徴とする請求項１乃至１８のいずれかに記載の装置。
【請求項２０】  輪郭（２４ａ、２５ａ）は、レーザ切断により生成されていることを特徴とする請求項１乃至１８のいずれかに記載の装置。
【請求項２１】  輪郭（２４ａ、２５ａ）は、機械加工、例えばパンチ加工、鋸加工等、により生成されていることを特徴とする請求項１乃至１８のいずれかに記載の装置。
【請求項２２】  ガーネット（２１ａ、２２ａ）が、繊維材料の実質的な形状決定措置を可能とすることを特徴とする請求項１４または１５に記載の装置。
【請求項２３】  僅かの詰め容積を実現するための歯高さ（ｈ2）が小さく、背角（γ）が９０°又は略９０°であり、そして歯（２１’）の周りに開放容積を実現するための歯リード（ｔ）及びリード（Ｐ）が大きいことを特徴とする請求項１乃至２２のいずれかに記載の装置。
【請求項２４】  前角（α）が０°又略０°であることを特徴とする請求項１乃至２３のいずれかに記載の装置。
【請求項２５】  楔角（β）が０°又略０°であることを特徴とする請求項１乃至２４のいずれかに記載の装置。
【請求項２６】  歯リード（ｔ）が約２．４５mm乃至２．８５mmであることを特徴とする請求項１乃至２５のいずれかに記載の装置。
【請求項２７】  歯間隙（１’7）が略半円形に形成されていることを特徴とする請求項１乃至２６のいずれかに記載の装置。
【請求項２８】  歯間隙（１’7）が両端において、半径（ｒ’z、ｒ”z）を持つ略４分の１円に形成されていることを特徴とする請求項１乃至２６のいずれかに記載の装置。
【請求項２９】  歯半径（ｒz）が約０．６mmであることを特徴とする請求項１乃至２８のいずれかに記載の装置。
【請求項３０】  歯先長さ（１s）が、元面（１’9）に対して略平行に配置されていることを特徴とする請求項１乃至２９のいずれかに記載の装置。
【請求項３１】  歯先長さ（１s）が、０．５mmより大きいことを特徴とする請求項１乃至３０のいずれかに記載の装置。
【請求項３２】  歯間隙高さ（ｈ3）が、約０．６mm乃至１．５mmであることを特徴とする請求項１乃至３１のいずれかに記載の装置。
【請求項３３】  歯高さ（ｈ2）が約０．８mm乃至１．５mmであることを特徴とする請求項１乃至３２のいずれかに記載の装置。
【請求項３４】  歯先幅（ｂs）が０．２mmより大きく且つ１mmより小さいことを特徴とする請求項１乃至３３のいずれかに記載の装置。
【請求項３５】  歯元幅（ｂF）が１mmより大きく且つ４mmより小さいことを特徴とする請求項１乃至３４のいずれかに記載の装置。
【請求項３６】  歯元幅（ｂF）が２mmであることを特徴とする請求項１乃至３４のいずれかに記載の装置。
【請求項３７】  歯密度（Ｔ）が約３．５/cm乃至４．０/cmであることを特徴とする請求項１乃至３６のいずれかに記載の装置。
【請求項３８】  速度数（ｚ）が約４．８/cm乃至５．２/cmであることを特徴とする請求項１乃至３７のいずれかに記載の装置。
【請求項３９】  占有密度（Ｂ）が約１８．５/cm2乃至１９．５/cm2であることを特徴とする請求項１乃至３８のいずれかに記載の装置。
【請求項４０】  占有密度（Ｂ）が約１８．５/cm2乃至１９．５/cm2であることを特徴とする請求項１乃至３８のいずれかに記載の装置。
【請求項４１】  ローラ（２１、２２）が針を持つことを特徴とする請求項１乃至４０のいずれかに記載の装置。
【請求項４２】  該針が短いことを特徴とする請求項１乃至４１のいずれかに記載の装置。
【請求項４３】  圧縮ローラ（２１、２２）が引き下げローラ（１１、１２）の後に配置されていることを特徴とする請求項１乃至４２のいずれかに記載の装置。
【請求項４４】  圧縮ローラ（２１、２２）がウエブ組合せ部材（７、１０）から繊維材料を直接引き出すことを特徴とする請求項１乃至４３のいずれかに記載の装置。
【請求項４５】  該ウエブ組合せ部材（７、１０）の出口領域（１０ａ）が、矩形断面（ａ、ｂ）を持つことを特徴とする請求項１乃至４４のいずれかに記載の装置。
【請求項４６】  該出口領域（１０ａ）の長さ（ａ）と幅（ｂ）の比が少なくとも５：１であることを特徴とする請求項４５に記載の装置。
【請求項４７】  該ウエブ組合せ部材（７、１０）の出口領域（１０ａ）から出る繊維帯が平帯又は同等品であることを特徴とする請求項４５または４６に記載の装置。
【請求項４８】  少なくとも一つの輪郭ローラ（２１、２２）がばね偏倚支持（２０）されていることを特徴とする請求項１乃至４７のいずれかに記載の装置。
【請求項４９】  該ウエブ組合せ部材（７、１０）から出る繊維帯の引き渡し速度が１００m/min以上であることを特徴とする請求項４５乃至４８のいずれかに記載の装置。
【請求項５０】  略矩形の断面を持つ圧縮繊維帯が更に幅広の加工に導かれることを特徴とする請求項４５乃至４９のいずれかに記載の装置。